(57)【特許請求の範囲】
【請求項１】
高圧空気流を発生する高圧空気流発生装置と、この高圧空気流発生装置により発生された高圧空気流を噴出するノズルとこのノズルから噴出された高圧空気流により吹き飛ばされた水を排水する排水口とを有する手挿入部と、前記排水口に接続された排水管とを備え、前記排水口は前記手挿入部の底部の一部を下方に延出させて形成した延出部により構成され、この延出部の端部と前記排水管の内壁との間に隙間が形成されていることを特徴とする手乾燥装置。
【請求項２】
高圧空気流を発生する高圧空気流発生装置と、この高圧空気流発生装置により発生された高圧空気流を噴出するノズルとこのノズルから噴出された高圧空気流により吹き飛ばされた水を排水する排水口とを有する手挿入部と、前記排水口に接続され内側排水管と外側排水管により二重に構成された排水管とを備え、前記排水口は前記手挿入部の底部を下方に延出させて形成した延出部により構成され、前記内側排水管は前記延出部の内側に着脱可能に配置され、高圧空気流により吹き飛ばされた水は前記内側排水管の内側を流れて排水されることを特徴とする手乾燥装置。
【請求項３】
高圧空気流を発生する高圧空気流発生装置と、この高圧空気流発生装置により発生された高圧空気流を噴出するノズルとこのノズルから噴出された高圧空気流により吹き飛ばされた水を排水する排水口とを有する手挿入部と、前記排水口に接続された排水管と、前記排水口から前記排水管内部に延び前記排水管の内壁から離間して着脱可能に設けられた水滴誘導体とを備え、高圧空気流により吹き飛ばされた水は前記水滴誘導体を伝って排水されることを特徴とする手乾燥装置。
【請求項４】
前記排水口に、前記排水口の上方を覆う蓋部と高圧空気流により吹き飛ばされた水を前記排水口内に導く開口部とを有する着脱可能なカバーを設けたことを特徴とする前記請求項１ないし請求項３の何れかに記載の手乾燥装置。
【発明の詳細な説明】
【０００１】
【発明の属する技術分野】
本発明は、濡れた手を乾燥させるための手乾燥装置に関するものである。
【０００２】
【従来の技術】
従来の濡れた手を乾燥させる手乾燥装置としては、特開平７−１１６０７６号公報に掲載の技術が知られている。
【０００３】
図１４はこの公報に掲載された従来の手乾燥装置の断面図である。図において、１０１は手乾燥装置の本体である箱体、１０２は箱体１０１の正面上部に、正面側と両側面側を開口して形成された凹状の手挿入部、１０３は高圧空気流を発生する送風機、１０４ａ、１０４ｂは送風機１０３により発生された高圧空気流を噴出するノズル、１０５はノズル１０４ａ、１０４ｂから噴出された高圧空気流により手から吹き飛ばされた水を排水する排水口、１０６は排水口５からのドレン水を下方の着脱可能なドレンタンク１０７に導くための本体に固定された排水管である。
【０００４】
図１５に、排水口１０５から排水管１０６を通りドレンタンク１０７に至るまでの概略断面図を示す。図に示すように、排水口１０５は手挿入部１０２の底部が下方に筒状に延出した延出部１１５により構成されている。また、排水管１０６は、その内周面が延出部１１５の外周面に接触するように延出部１１５に差し込まれて接続されている。
【０００５】
【発明が解決しようとする課題】
このように構成された従来の手乾燥装置において、高速の空気で濡れた手から吹き飛ばされた水滴には手を洗浄しても落ちなかった汚れや有機物なども含まれており、水滴の付着した部分を清掃せずに放置しておくと、汚れが付着し、その部分から臭いが発生する。このため、水滴が付着する部分は清掃できる構造とする必要がある。
【０００６】
手挿入部１０２は手挿入方向へ開口されおり、また、ドレンタンク１０７は着脱可能であることから、両者とも清掃することは易しいものの、排水口１０５からドレンタンク１０７へ水滴を導く排水管１０６については、本体内部に固定されているため清掃が困難である。また、排水管６の直径は１０ｍｍ〜３０ｍｍ、長さは１００ｍｍ以上で、手や指を管内に挿入して水滴の付着する面すべてを清掃することは困難である。
【０００７】
また、図１５に示すように、延出部１１５と排水管１０６の接続部には隙間がほとんどなく、ノズル１０４ａ、１０４ｂから噴出された高圧空気流による圧力や毛細管現象によりその接続部の隙間へ水滴が浸入し、水滴の蒸発とともに汚れのみ残留する。そのため、隙間へ浸入した汚れは簡単に清掃することは困難である。
【０００８】
さらに、手挿入部１０２の排水口１０５の上方は開放されており、清掃を怠ると排水管１０６内の汚れが目立ち、使用者に不快感を与えることとなる。
【０００９】
本発明は、このような課題を解決するためになされたものであり、臭いの発生源のひとつである排水口や排水管に着目し、汚れが付着しにくく、臭いの発生を防ぐことができ、使用者に不快感を与えることのない手乾燥装置を得ることを目的とする。
【００１０】
【問題を解決するための手段】
この発明に係る手乾燥装置は、高圧空気流を発生する高圧空気流発生装置と、この高圧空気流発生装置により発生された高圧空気流を噴出するノズルとこのノズルから噴出された高圧空気流により吹き飛ばされた水を排水する排水口とを有する手挿入部と、前記排水口に接続された排水管とを備え、前記手挿入部の底部の一部を下方に延出させて形成した延出部により前記排水口を構成し、前記延出部の端部と前記排水管の内壁との間に隙間を形成したものである。
【００１１】
また、高圧空気流を発生する高圧空気流発生装置と、この高圧空気流発生装置により発生された高圧空気流を噴出するノズルとこのノズルから噴出された高圧空気流により吹き飛ばされた水を排水する排水口とを有する手挿入部と、前記排水口に接続され内側排水管と外側排水管により二重に構成された排水管とを備え、前記手挿入部の底部を下方に延出させて形成した延出部により前記排水口を構成し、前記内側排水管を前記延出部の内側に着脱可能に配置し、高圧空気流により吹き飛ばされた水が前記内側排水管の内側を流れて排水されるようにしたものである。
【００１２】
また、高圧空気流を発生する高圧空気流発生装置と、この高圧空気流発生装置により発生された高圧空気流を噴出するノズルとこのノズルから噴出された高圧空気流により吹き飛ばされた水を排水する排水口とを有する手挿入部と、前記排水口に接続された排水管と、前記排水口から前記排水管内部に延び前記排水管の内壁から離間して着脱可能に設けられた水滴誘導体とを備え、高圧空気流により吹き飛ばされた水が前記水滴誘導体を伝って排水されるようにしたものである。
【００１３】
また、前記排水口に、前記排水口の上方を覆う蓋部と高圧空気流により吹き飛ばされた水を前記排水口内に導く開口部とを有する着脱可能なカバーを設けたものである。
【００１４】
【発明の実施の形態】
実施の形態１．
以下、本発明の実施の形態について説明する。
図１はこの実施の形態１における手乾燥装置の断面図である。図において、１は手乾燥装置の本体である箱体、２はこの箱体１の正面上部に、正面側と両側面側を開口して形成された凹状の手挿入部であり、奥側へ向かって傾斜している。３は高圧空気流を発生する高圧空気流発生装置である送風機、４ａ、４ｂは手挿入部２の入口の対向する面に設けられ送風機３により発生された高圧空気流を噴出するノズルである。このノズル４ａ、４ｂは、手挿入部２に挿入した手を擦り合せることなく、手に付着した水滴を手の表裏から排除できるように、手の甲側と掌側の双方に風を同時に当て、且つ、入口から奥への圧力勾配を形成するような傾斜を有して設けられている。５はノズル４ａ、４ｂから噴出された高圧空気流により手から吹き飛ばされた水を排水する排水口、６は排水口５からのドレン水を箱体１の下方に着脱可能に設けられたドレンタンク７に導くための排水管であり、箱体１内に固定されている。
【００１５】
８は送風機３の吸込口、９は箱体１の下方に設けられた吸込口でありフィルタ１０が取り付けられている。１１は吸込口８と９を連通する吸気ダクト、１２は吸込口８の上流に当たるチャンバー、１３は送風機３からの高圧空気流を手挿入部２に設けられたノズル４ａ、４ｂに導く排気ダクトである。
【００１６】
図２に、排水口５から排水管６を通りドレンタンク７に至るまでの概略断面図を示す。なお、図１において排水管６は、箱体１内の他の部品を避けてドレンタンク７に連絡するために曲げて形成されているが、図２においてはわかり易くするために排水管６を直線的に記載している。図２に示すように、排水口５は手挿入部２の底部の一部を下方に筒状に延出させて形成した延出部１５により構成されている。すなわち、延出部１５は手挿入部２の裏側に延出している。排水管６は、延出部１５に接続される側の端部の内径が延出部１５の外径とほぼ等しくなるように形成されており、延出部１５の外周を覆うようにその端部を差し込むことによって接続されている。
【００１７】
また、排水管６の延出部１５に接続される側の端部の内径はそれ以外の部分の内径より小さく形成されており、内径の小さい部分の長さは延出部１５の長さより短く形成されている。そのため、延出部１５に排水管６を接続したとき、排水管６端部の内径の小さい部分の内壁面と延出部１５の上部の外壁面とは接触して隙間がないが、延出部１５の端部と排水管６の内壁との間には隙間１６が形成される。この実施の形態においては、排水管６の内壁に接触していない延出部１５の長さは約８ｍｍであり、排水管６と延出部１５との間の隙間の大きさは約２．５ｍｍである。
【００１８】
手挿入部２の内壁表面２aには、シリコン系もしくはフッ素系等の撥水性コ−ティング、又は酸化チタン等の親水性があるコ−ティング、又は抗菌剤を含浸させ、内壁表面２aの汚れ付着の低減及び菌の繁殖の低減を図っている。また、排水管６は、ＰＰ（ポリプロピレン）、ＰＥ（ポリエチレン）、ＳＵＳ（ステンレス）、撥水性コ−ティングされた金属等により形成され、汚れの付着や菌の繁殖、錆付きを防止している。
【００１９】
上述のように構成された手乾燥装置は、洗浄後の濡れた手を手首付近まで手挿入部２へ入れると、手挿入部に設けられたセンサー（図示せず）が手を検知して送風機３が作動する。送風機３が作動すると、箱体１の下部の吸込口９からフィルター１０を介して空気が流入し、吸気ダクト１１及びチャンバー１２を通って、送風機３の吸込口８から送風機３に入り、高圧化される。
【００２０】
送風機３を通過した空気は高圧空気流となり、排気ダクト１３を通り、ノズル４ａ、４ｂから噴出される。ノズル４ａ、４ｂより噴出された高速の高圧空気流は、手挿入部２内に挿入された手に当たり、手の表面に付着していた水を水滴として吹き飛ばす。さらに、手挿入部２で手を挿抜することによって、手全体に付着していた水滴がすべて手から剥離し、手が乾燥する。乾燥終了後、手挿入部２より手を抜くと、センサーが手を検知しなくなるため、送風機３が停止する。
【００２１】
濡れた手から剥離した水滴は手挿入部２に当たり、その水滴は手挿入部２の内壁表面２ａを伝わって流れ、手挿入部２底部に配置された排水口５に入り、排水管６を通って、ドレンタンク７に回収される。
【００２２】
濡れた手から剥離した水滴は汚れを含んでいるため、水滴の付着した部分を清掃せずに放置しておくと、その部分から臭いが発生することになるが、この実施の形態においては、排水口５を構成する延出部１５の少なくとも端部と排水管６の内壁との間に隙間１６が形成され、延出部１５と排水管６の接合部は延出部１５の先端から離れて（この実施の形態においては８ｍｍ上方に）存在しているので、延出部１５に付着した水滴がノズル４ａ、４ｂから噴出された高圧空気流による圧力や毛細管現象によって延出部１５と排水管６との接触部に浸入することはなく、接触部に汚れが残留することがない。そのため、臭いは発生せず、使用者に不快感を与えることがない。
【００２３】
実施の形態２．
図３は本発明の実施の形態２における手乾燥装置の排水口と排水管の部分の概略断面図である。排水口及び排水管以外の構造及び動作は、上記実施の形態１の手乾燥装置と同様であるため、その説明は省略する。
【００２４】
実施の形態２においては、排水管１７の内径は延出部１５の外径より大きく一定であり、その先端は手挿入部２の裏面に対向するように配置されている。ここで、排水管１７の先端は手挿入部２の裏面に接触して固定してもよいし、接触させずに何らかの手段で本体内に固定してもよい。このような形状の排水管１７を用いることによって、排水口５を構成する手挿入部２の延出部１５の外壁全体と排水管１７の内壁との間に隙間１８が形成される。この隙間１８の大きさは、上記の実施の形態１と同様、およそ２．５ｍｍ以上あることが望ましい。
【００２５】
この実施の形態２においても、少なくとも手挿入部２の延出部１５の端部と排水管１７の内壁との間に隙間１８が形成されているために、延出部１５に付着した水滴がノズル４ａ、４ｂから噴出された高圧空気流による圧力や毛細管現象によって延出部１５と排水管１７との間に浸入することがなく、汚れが残留することがない。したがって、臭いは発生せず、使用者に不快感を与えることがない。
【００２６】
また、手挿入部２の延出部１５の外壁面と排水管１７の内壁面とを接触させて接続しなくてよいので、延出部１５の長さは短くてもよい。そのため、延出部１５の内壁の清掃も容易である。さらに、排水管１７は径が一定であるため、その成形も容易になる。
【００２７】
実施の形態３．
図４は本発明の実施の形態３における手乾燥装置の排水口と排水管の部分の概略断面図である。排水口及び排水管以外の構造及び動作は、上記実施の形態１の手乾燥装置と同様であるため、その説明は省略する。
【００２８】
図４において、１９は排水口５を構成する延出部１９であり、手挿入部２の底部の一部を下方に筒状に延出させて、その端部の内径が排水口５の入口付近の内径より小さくなるように形成されている。また、延出部１９の排水口５入口側の外径、すなわち延出部１９の上部の外径は、排水管１７の内径とほぼ等しく、延出部１９と排水管とはこの部分で接触して接続されている。排水管１７の径は上記実施の形態２と同様に一定である。
【００２９】
この実施の形態３においても、少なくとも手挿入部２の延出部１９の端部と排水管１７の内壁との間に隙間が形成されているため、延出部１９に付着した水滴がノズル４ａ、４ｂから噴出された高圧空気流による圧力や毛細管現象によって延出部１９と排水管１７との間に浸入することがなく、汚れが残留することがない。したがって、臭いは発生せず、使用者に不快感を与えることがない。
【００３０】
実施の形態４．
図５は本発明の実施の形態４における手乾燥装置の排水口、排水管、ドレンタンクの部分の概略断面図である。排水口及び排水管以外の構造及び動作は、上記実施の形態１の手乾燥装置と同様であるため、その説明は省略する。
【００３１】
この実施の形態４においては、排水管２０は内側排水管２０ａと外側排水管２０ｂとを有する二重構造となっており、外側排水管２０ｂは本体内に固定され、内側排水管２０ａは排水口５から着脱可能に装着されている。内側排水管２０ａと外側排水管２０ｂはほぼ同じ長さに形成され、内側排水管２０ａを着脱可能とするために、内側排水管２０ａ及び外側排水管２０ｂは直線的に形成されている。また、内側排水管２０ａの上端部と手挿入部２の延出部１５の内壁とはゴムパッキン２１等によりシールされている。したがって、高圧空気流によって吹き飛ばされた水滴は内側排水管２０ａのみを流れ、外側排水管２０ｂには流れない。
【００３２】
このような構成とすれば、水滴による汚れは内側排水管２０ａのみに付着するため、外側排水管２０ｂは清掃する必要もなく清潔であり、内側排水管２０ａは排水口５から手で抜き出して清掃すれば、清潔に保つことができ、臭いの発生も低減でき、使用者に不快感を与えることがない。
【００３３】
実施の形態５．
図６は本発明の実施の形態５における手乾燥装置の排水口と排水管の接続部分の概略断面図である。排水口と排水管以外の構造及び動作は、上記実施の形態１の手乾燥装置と同様であるため、その説明は省略する。
【００３４】
上記実施の形態４においては、外側排水管２０ａを上記実施の形態１における排水管６と同様に、延出部１５との接続側の端部の内径を小さくするように形成したが、図６に示すように、従来の排水管と延出部の接続構造と同様に、外側排水管２０ｃの内径を延出部１５の外径とほぼ同じで一定の大きさとしてもよい。外側排水管２０ｃをこのように形成しても、着脱可能な内側排水管２０ｄを設けたので、外側排水管２０ｃと手挿入部２の延出部１５との間に汚れが侵入することがない。
【００３５】
また、内側排水管２０ｄの長さを外側排水管２０ｃの長さより短く形成しても、内側排水管２０ｄと外側排水管２０ｃとの間には隙間が形成されているため、外側排水管２０ｃの内壁には汚れが付着しにくい。したがって、臭いは発生せず、使用者に不快感を与えることがない。
【００３６】
なお、内側排水管２０ｄと外側排水管２０ｃとの間の隙間を維持するために、両者の間の所定箇所にスペーサを設けるようにしてもよい。また、このように内側排水管２０ｄを短くすれば、外側排水管２０ｃを曲線状に形成した場合でも、内側排水管２０ｄのみをほぼ直線状にして着脱可能とすることができる。
【００３７】
実施の形態６．
図７は本発明の実施の形態６における手乾燥装置の排水口と排水管の接続部分の概略断面図である。排水口と排水管以外の構造及び動作は、上記実施の形態１の手乾燥装置と同様であるため、その説明は省略する。
【００３８】
上記実施の形態４及び実施の形態５においては、内側排水管２０ａ、２０ｄの上方の端部が手挿入部２の延出部１５内に収まるように設置したが、図７に示すように、内側排水管２０ｅの端部を外側に広げて、延出部１５よりも上方に出し、手挿入部２の排水口５の周囲の内壁に載置するようにしてもよい。この場合にも、内側排水管２０ｅと手挿入部２の接触部、すなわち内側排水管２０ｅの端部外周と手挿入部２の内壁との間にはゴムパッキンを設けてシール構造とする。
【００３９】
このように構成すれば、外側排水管２０ｃに汚れが付着することを防止できるとともに、内側排水管２０ｅの着脱が容易になる。
【００４０】
実施の形態７．
図８は本発明の実施の形態５における手乾燥装置の排水口と排水管の部分の概略断面図である。図に示す部分以外の構造及び動作は、上記実施の形態１の手乾燥装置と同様であるため、その説明は省略する。
【００４１】
図８において、手挿入部２の延出部１５及び排水管６の構成は上記実施の形態１のものと同様であるが、排水口５から排水管６内部に延び排水管６の内壁から離間して配置される棒状部２３を有する水滴誘導体２２が着脱可能に設置されている。図９にこの水滴誘導体２２の上面図を示す。図９に示すように、水滴誘導体２２の上部には手挿入部２の排水口５の周囲の内壁に載置するための円盤状のシール部２４が形成されている。シール部２４は水滴が棒状部２３に伝わるように中心に向かって下方に傾斜して形成されており、開口部２５を有する。
【００４２】
このように形成された水滴誘導体２２は、棒状部２３を排水管６内に挿入してシール部２４を手挿入部２の排水口５周囲の内壁に載置して設置される。シール部２４と手挿入部２との間にはゴムパッキン３５が設けられており、このゴムパッキン３５はシール部２４または手挿入部２の内壁に取り付けられている。高圧空気流により吹き飛ばされ濡れた手から剥離した水滴は手挿入部２に当たり、手挿入部２の壁面を伝わって流れ、水滴誘導体２２の開口部２５から棒状部２３を伝わってドレンタンク７に導かれる。
【００４３】
このように、この実施の形態７においては、水滴が水滴誘導体２２を伝わって排水され、排水管６には流れないため、排水管６に汚れが付着することがなく清潔である。また、水滴誘導体２２は着脱可能であるため、取り外して清掃することができ、清潔である。したがって、臭いは発生せず、使用者に不快感を与えることがない。
【００４４】
なお、排水管は、従来のように内径を延出部１５の外径とほぼ同じで一定としてもよい。排水管をこのように形成しても、着脱可能な水滴誘導体２２を設けたので、排水管と手挿入部２の延出部１５との間に汚れが侵入することがない。また、水滴誘導体２２の長さは排水管６の長さより短くてもよく、このようにした場合には、排水管６が曲線状に形成されていても、水滴誘導体２２をほぼ直線状にして着脱可能にすることができる。
【００４５】
また、棒状部２３としては、チェーンを用いてもよく、また柔らかい材質のものや、螺旋状のものでも、排水口５から排水管６内部に延び、排水管６の内壁から離間して配置できるものであれば、何ら問題ない。また、シール部２４自体をゴム素材のシート状に形成して、排水口５周囲の手挿入部２に載置するだけでシール機能を有するようにしてもよい。
【００４６】
実施の形態８．
図１０は本発明の実施の形態６における手乾燥装置の排水口と排水管の部分の概略断面図である。図において、２６は排水口５の上方を覆うカバーである。このカバー２６以外の部分の構造及び動作は、上記実施の形態１の手乾燥装置と同様であるため、その説明は省略する。
【００４７】
カバー２６は、手挿入部２の排水口５周囲の内壁に着脱可能に載置されている。図１１にカバー２６の斜視図を示す。図に示すように、カバー２６は、排水口５の上方を覆い排水口５の内径より大きい円形の蓋部２７と、この蓋部２７にほぼ垂直に設けられた六角形の平板状の支持部２８とを有している。支持部２８の下端は、排水口５に載置したときに安定するように、排水口５の寸法に合わせて形成されている。また、カバー２６を排水口５に設置したとき、支持部２８の両側には排水口５内部と連通する開口部が形成され、高圧空気流により吹き飛ばされた水はこの開口部から排水口５内部に導かれる。
【００４８】
この実施の形態８によれば、カバー２６を設置することにより、排水管５のほぼ軸方向から手挿入部２の内部を覗いたとき、排水口５や排水管６の内部が見えないため、内部に汚れが付着したとしても使用者には見えず、不快感を与えることがない。また、臭いの発散の防止にもなる。
【００４９】
なお、カバー２６の形状は、図１０及び図１１に示すものに限らず、図１２や図１３に示すような構成であってもよく、要するに、排水口５の内部が上方から見えないような蓋部を有し、高圧空気流により吹き飛ばされ手挿入部２の内壁を流れた水滴が排水口５内に流入するための開口部が確保される構成であればよい。図１２に示したカバー２９は、蓋部３０とこの蓋部３０にほぼ垂直に設けられ十字に組み合わされた２枚の六角形の平板状の支持部３１ａ、３１ｂにより構成されている。このような構成とすれば、図１１に示すカバー２６よりも安定して設置できる。また、図１３に示したカバー３２は、蓋部３３に複数の支柱３４が設けられ、その支柱３４が手挿入部２の排水口５周囲の内壁に載置されるように構成されている。
【００５０】
また、図１０においては、手挿入部２や排水管６の構成を上記実施の形態１と同様のものとしたが、これに限らず、上記実施の形態２ないし実施の形態７の何れに記載された構成であっても、同様の効果を得ることができる。
【００５１】
実施の形態９．
上記の各実施の形態においては、高圧空気流のみにより手を乾燥させる手乾燥装置について説明したが、本体内部にヒーターを設け、温風を発生させるように構成してもよい。また、高圧空気流を噴出するノズルを手挿入部の開口部の対向する面に設ける両側吹き出しでなく、片側吹き出しの手乾燥装置であってもよい。また、着脱可能なドレンタンクを設けず、排水管から直接外部に排水させる構成であってもよい。さらに、排水管は図１に示すように曲線的に形成したものでなく、直線的に形成したものであってもよい。このように、何れの構成の手乾燥装置であっても、上述の実施の形態１ないし８のような排水口および排水管の構成を採用することによって、汚れが付着しにくく、臭いが発生せず、使用者に不快感を与えることがない手乾燥装置を得ることができる。
【００５２】
【発明の効果】
この発明に係る手乾燥装置によれば、排水管に汚れが付着しにくく、臭いの発生を防ぐことが可能となる。
【００５３】
また、排水管を二重に構成し、高圧空気流により吹き飛ばされた水が内側排水管の内側を流れて排水されるようにしたので、外側排水管には汚れが付着せず、内側排水管は取り外して清掃することができるため、臭いの発生を防ぐことが可能となる。
【００５４】
また、高圧空気流により吹き飛ばされた水が水滴誘導体を伝って排水されるようにしたので、排水管には汚れが付着せず、水滴誘導体は取り外して清掃することができるため、臭いの発生を防ぐことが可能となる。
【００５５】
さらに、排水口に着脱可能なカバーを設けたので、使用者に不快感を与えることがない。
【図面の簡単な説明】
【図１】  実施の形態１における手乾燥装置を示す断面図である。
【図２】  実施の形態１における排水口、排水管、ドレンタンク部分の概略断面図である。
【図３】  実施の形態２における排水口と排水管部分の概略断面図である。
【図４】  実施の形態３における排水口と排水管部分の概略断面図である。
【図５】  実施の形態４における排水口、排水管、ドレンタンク部分の概略断面図である。
【図６】  実施の形態５における排水口と排水管部分の概略断面図である。
【図７】  実施の形態６における排水口と排水管部分の概略断面図である。
【図８】  実施の形態７における排水口と排水管部分の概略断面図である。
【図９】  実施の形態７における水滴誘導体の上面図である。
【図１０】  実施の形態８における排水口と排水管部分の概略断面図である。
【図１１】  実施の形態８におけるカバーの斜視図である。
【図１２】  実施の形態８における他のカバーの斜視図である。
【図１３】  実施の形態８における更に他のカバーの斜視図である。
【図１４】  従来の手乾燥装置の断面図である。
【図１５】  従来の排水口、排水管、ドレンタンク部分の概略断面図である。
【符号の説明】
１  箱体、２  手挿入部、３  送風機（高圧空気発生装置）、４  ノズル、５排水口、６  排水管、７  ドレンタンク、１５  延出部、１６  隙間、１７  排水管、１８  隙間、１９  延出部、２０  排水管、２０ａ  内側排水管、２０ｂ  外側排水、２１  ゴムパッキン、２２  水滴誘導体、２６  カバー、２９  カバー、３２  カバー。
【図１】
0003716791.tif 000002
【図２】
0003716791.tif 000003
【図３】
0003716791.tif 000004
【図４】
0003716791.tif 000005
【図５】
0003716791.tif 000006
【図６】
0003716791.tif 000007
【図７】
0003716791.tif 000008
【図８】
0003716791.tif 000009
【図９】
0003716791.tif 000010
【図１０】
0003716791.tif 000011
【図１１】
0003716791.tif 000012
【図１２】
0003716791.tif 000013
【図１３】
0003716791.tif 000014
【図１４】
0003716791.tif 000015
【図１５】
0003716791.tif 000016